(57)【特許請求の範囲】
【請求項１】
無線接続システムにおいてＭ２Ｍ機器に対する媒体接続制御（ＭＡＣ）制御メッセージを送信する方法であって、前記方法は、
機能インデックスフィールド及び放送割当情報を含む放送割当マップ情報要素（ＢＡ  Ａ−ＭＡＰ  ＩＥ）を受信することであって、前記機能インデックスフィールドは、前記ＢＡ  Ａ−ＭＡＰ  ＩＥが前記Ｍ２Ｍ機器に対する前記放送割当情報を持ち運ぶことを表し、前記放送割当情報は、前記ＭＡＣ制御メッセージが送信されるリソース領域を表す、ことと、
前記ＢＡ  Ａ−ＭＡＰ  ＩＥにマスクされた巡回冗長検査（ＣＲＣ）ビットが、前記ＢＡ  Ａ−ＭＡＰ  ＩＥがＭ２Ｍ放送割当のためのものであることを表すと、前記放送割当情報が表す前記リソース領域を通じて前記ＭＡＣ制御メッセージを受信することと
を含み、
前記ＢＡ  Ａ−ＭＡＰ  ＩＥにマスクされる前記ＣＲＣビットは、１ビットのマスキングプレフィックス、３ビットのタイプ指示子、及び１２ビットのマスキングコードで構成され、
前記マスキングコードは、前記Ｍ２Ｍ放送割当のための前記ＢＡ  Ａ−ＭＡＰ  ＩＥをマスクするために用いられ、
前記放送割当情報は、前記ＭＡＣ制御メッセージのサイズを表すバーストサイズを表すバーストサイズフィールド、前記リソース領域の割当位置及び割当サイズを表すリソースインデックスフィールド、前記リソース領域が占有するサブフレームの個数を表すロングＴＴＩ（Ｔｒａｎｓｍｉｓｓｉｏｎ  Ｔｉｍｅ  Ｉｎｔｅｒｖａｌ）指示子フィールド、及び時間領域反復が実行されるか否かを表す送信フォーマットフィールドからなる、方法。
【請求項２】
前記ＢＡ  Ａ−ＭＡＰ  ＩＥは、前記ＢＡ  Ａ−ＭＡＰ  ＩＥが前記Ｍ２Ｍ機器に対するレンジングチャネル割当情報を含むか、又は前記Ｍ２Ｍ機器に対する放送割当情報を含むかを表す副機能インデックスをさらに含む、請求項１に記載の方法。
【請求項３】
前記マスキングプレフィックスは０ｂ０に設定され、
前記タイプ指示子は０ｂ０１０に設定され、
前記マスキングコードは４０９４の十進値に対応する、請求項１に記載の方法。
【請求項４】
前記マスキングプレフィックスは０ｂ０に設定され、
前記タイプ指示子は０ｂ００１に設定され、
前記マスキングコードは４０９５の十進値に対応する、請求項１に記載の方法。
【請求項５】
前記ＭＡＣ制御メッセージは、ＡＡＩ−ＭＴＥ−ＩＮＤメッセージ又はＡＡＩ−ＭＧＭＣメッセージである、請求項１に記載の方法。
【請求項６】
無線接続システムにおいてＭ２Ｍ機器に対する媒体接続制御（ＭＡＣ）制御メッセージを送信する方法であって、前記方法は、
機能インデックスフィールド及び放送割当情報を含む放送割当マップ情報要素（ＢＡ  Ａ−ＭＡＰ  ＩＥ）を送信することであって、前記機能インデックスフィールドは、前記ＢＡ  Ａ−ＭＡＰ  ＩＥが前記Ｍ２Ｍ機器に対する前記放送割当情報を持ち運ぶことを表し、前記放送割当情報は、前記ＭＡＣ制御メッセージが送信されるリソース領域を表す、ことと、
前記放送割当情報が表す前記リソース領域を通じて前記ＭＡＣ制御メッセージを送信することと
を含み、
前記ＢＡ  Ａ−ＭＡＰ  ＩＥにマスクされた巡回冗長検査（ＣＲＣ）ビットは、前記ＢＡ  Ａ−ＭＡＰ  ＩＥがＭ２Ｍ放送割当のためのものであることを表し、
前記ＢＡ  Ａ−ＭＡＰ  ＩＥにマスクされる前記ＣＲＣビットは、１ビットのマスキングプレフィックス、３ビットのタイプ指示子、及び１２ビットのマスキングコードで構成され、
前記マスキングコードは、前記Ｍ２Ｍ放送割当のための前記ＢＡ  Ａ−ＭＡＰ  ＩＥをマスクするために用いられ、
前記放送割当情報は、前記ＭＡＣ制御メッセージのサイズを表すバーストサイズを表すバーストサイズフィールド、前記リソース領域の割当位置及び割当サイズを表すリソースインデックスフィールド、前記リソース領域が占有するサブフレームの個数を表すロングＴＴＩ（Ｔｒａｎｓｍｉｓｓｉｏｎ  Ｔｉｍｅ  Ｉｎｔｅｒｖａｌ）指示子フィールド、及び時間領域反復が実行されるか否かを表す送信フォーマットフィールドからなる、方法。
【請求項７】
前記ＢＡ  Ａ−ＭＡＰ  ＩＥは、前記ＢＡ  Ａ−ＭＡＰ  ＩＥが前記Ｍ２Ｍ機器に対するレンジングチャネル割当情報を含むか、又は前記Ｍ２Ｍ機器に対する放送割当情報を含むかを表す副機能インデックスをさらに含む、請求項６に記載の方法。
【請求項８】
前記マスキングプレフィックスは０ｂ０に設定され、
前記タイプ指示子は０ｂ０１０に設定され、
前記マスキングコードは４０９４の十進値に対応する、請求項６に記載の方法。
【請求項９】
前記マスキングプレフィックスは０ｂ０に設定され、
前記タイプ指示子は０ｂ００１に設定され、
前記マスキングコードは４０９５の十進値に対応する、請求項６に記載の方法。
【請求項１０】
前記ＭＡＣ制御メッセージは、ＡＡＩ−ＭＴＥ−ＩＮＤメッセージ又はＡＡＩ−ＭＧＭＣメッセージである、請求項６に記載の方法。
【請求項１１】
無線接続システムにおいて媒体接続制御（ＭＡＣ）制御メッセージを受信するＭ２Ｍ機器であって、前記Ｍ２Ｍ機器は、
送信部と、
受信部と、
前記ＭＡＣ制御メッセージの受信を支援するプロセッサと
を備え、
前記Ｍ２Ｍ機器は、
機能インデックスフィールド及び放送割当情報を含む放送割当マップ情報要素（ＢＡ  Ａ−ＭＡＰ  ＩＥ）を前記受信部を用いて受信することであって、前記機能インデックスフィールドは、前記ＢＡ  Ａ−ＭＡＰ  ＩＥが前記Ｍ２Ｍ機器に対する前記放送割当情報を持ち運ぶことを表し、前記放送割当情報は、前記ＭＡＣ制御メッセージが送信されるリソース領域を表す、ことと、
前記ＢＡ  Ａ−ＭＡＰ  ＩＥにマスクされた巡回冗長検査（ＣＲＣ）ビットが、前記ＢＡ  Ａ−ＭＡＰ  ＩＥがＭ２Ｍ放送割当のためのものであることを表すと、前記放送割当情報が表す前記リソース領域を通じて前記ＭＡＣ制御メッセージを前記受信部を用いて受信することと
を実行するように構成され、
前記ＢＡ  Ａ−ＭＡＰ  ＩＥにマスクされる前記ＣＲＣビットは、１ビットのマスキングプレフィックス、３ビットのタイプ指示子、及び１２ビットのマスキングコードで構成され、
前記マスキングコードは、前記Ｍ２Ｍ放送割当のための前記ＢＡ  Ａ−ＭＡＰ  ＩＥをマスクするために用いられ、
前記放送割当情報は、前記ＭＡＣ制御メッセージのサイズを表すバーストサイズを表すバーストサイズフィールド、前記リソース領域の割当位置及び割当サイズを表すリソースインデックスフィールド、前記リソース領域が占有するサブフレームの個数を表すロングＴＴＩ（Ｔｒａｎｓｍｉｓｓｉｏｎ  Ｔｉｍｅ  Ｉｎｔｅｒｖａｌ）指示子フィールド、及び時間領域反復が実行されるか否かを表す送信フォーマットフィールドからなる、Ｍ２Ｍ機器。
【請求項１２】
前記ＢＡ  Ａ−ＭＡＰ  ＩＥは、前記ＢＡ  Ａ−ＭＡＰ  ＩＥが前記Ｍ２Ｍ機器に対するレンジングチャネル割当情報を含むか、又は前記Ｍ２Ｍ機器に対する放送割当情報を含むかを表す副機能インデックスをさらに含む、請求項１１に記載のＭ２Ｍ機器。
【請求項１３】
前記マスキングプレフィックスは０ｂ０に設定され、
前記タイプ指示子は０ｂ０１０に設定され、
前記マスキングコードは４０９４の十進値に対応する、請求項１１に記載のＭ２Ｍ機器。
【請求項１４】
前記マスキングプレフィックスは０ｂ０に設定され、
前記タイプ指示子は０ｂ００１に設定され、
前記マスキングコードは４０９５の十進値に対応する、請求項１１に記載のＭ２Ｍ機器。
【請求項１５】
前記ＭＡＣ制御メッセージは、ＡＡＩ−ＭＴＥ−ＩＮＤメッセージ又はＡＡＩ−ＭＧＭＣメッセージである、請求項１１に記載のＭ２Ｍ機器。
【請求項１６】
無線接続システムにおいて媒体接続制御（ＭＡＣ）制御メッセージを送信する基地局であって、前記基地局は、
送信部と、
受信部と、
前記ＭＡＣ制御メッセージの送信を支援するプロセッサと
を備え、
前記基地局は、
機能インデックスフィールド及び放送割当情報を含む放送割当マップ情報要素（ＢＡ  Ａ−ＭＡＰ  ＩＥ）を前記送信部を用いて送信することであって、前記機能インデックスフィールドは、前記ＢＡ  Ａ−ＭＡＰ  ＩＥがＭ２Ｍ機器に対する前記放送割当情報を持ち運ぶことを表し、前記放送割当情報は、前記ＭＡＣ制御メッセージが送信されるリソース領域を表す、ことと、
前記放送割当情報が表す前記リソース領域を通じて前記ＭＡＣ制御メッセージを送信することと
を実行するように構成され、
前記ＢＡ  Ａ−ＭＡＰ  ＩＥにマスクされた巡回冗長検査（ＣＲＣ）ビットは、前記ＢＡ  Ａ−ＭＡＰ  ＩＥがＭ２Ｍ放送割当のためのものであることを表し、
前記ＢＡ  Ａ−ＭＡＰ  ＩＥにマスクされる前記ＣＲＣビットは、１ビットのマスキングプレフィックス、３ビットのタイプ指示子、及び１２ビットのマスキングコードで構成され、
前記マスキングコードは、前記Ｍ２Ｍ放送割当のための前記ＢＡ  Ａ−ＭＡＰ  ＩＥをマスクするために用いられ、
前記放送割当情報は、前記ＭＡＣ制御メッセージのサイズを表すバーストサイズを表すバーストサイズフィールド、前記リソース領域の割当位置及び割当サイズを表すリソースインデックスフィールド、前記リソース領域が占有するサブフレームの個数を表すロングＴＴＩ（Ｔｒａｎｓｍｉｓｓｉｏｎ  Ｔｉｍｅ  Ｉｎｔｅｒｖａｌ）指示子フィールド、及び時間領域反復が実行されるか否かを表す送信フォーマットフィールドからなる、基地局。
【請求項１７】
前記ＢＡ  Ａ−ＭＡＰ  ＩＥは、前記ＢＡ  Ａ−ＭＡＰ  ＩＥが前記Ｍ２Ｍ機器に対するレンジングチャネル割当情報を含むか、又は前記Ｍ２Ｍ機器に対する放送割当情報を含むかを表す副機能インデックスをさらに含む、請求項１６に記載の基地局。
【請求項１８】
前記マスキングプレフィックスは０ｂ０に設定され、
前記タイプ指示子は０ｂ０１０に設定され、
前記マスキングコードは４０９４の十進値に対応する、請求項１６に記載の基地局。
【請求項１９】
前記マスキングプレフィックスは０ｂ０に設定され、
前記タイプ指示子は０ｂ００１に設定され、
前記マスキングコードは４０９５の十進値に対応する、請求項１６に記載の基地局。
【請求項２０】
前記ＭＡＣ制御メッセージは、ＡＡＩ−ＭＴＥ−ＩＮＤメッセージ又はＡＡＩ−ＭＧＭＣメッセージである、請求項１６に記載の基地局。
【発明の詳細な説明】
【技術分野】
【０００１】
本発明は、無線接続システムに関し、機器間通信において媒体接続制御（ＭＡＣ）制御メッセージを送信する方法及びそれを支援する装置に関する。また、そのために送信されるＭＡＰメッセージに含まれた割当Ａ−ＭＡＰ情報要素に関する。
【背景技術】
【０００２】
以下では、本発明において機器間通信環境について簡略に説明する。
【０００３】
機器間通信（Ｍａｃｈｉｎｅ  ｔｏ  Ｍａｃｈｉｎｅ；以下、Ｍ２Ｍ）は、言葉の通り、電子装置と電子装置間の通信を意味する。広義には、電子装置間の有線或いは無線通信や、人間が制御する装置と機械間の通信のことを意味する。しかし、最近では、人間が介入することなく行われる電子装置と電子装置間の無線通信のことを指すのが一般的である。
【０００４】
Ｍ２Ｍ通信は、その概念が初めて導入された１９９０年代初期には、遠隔調整やテレマティックス程度の概念として認識されたし、派生する市場自体も非常に限定されていたが、ここ数年間高速成長を重ねながら、全世界的に注目される市場へと成長してきた。特に、販売管理システム（ＰＯＳ：Ｐｏｉｎｔ  Ｏｆ  Ｓａｌｅｓ）及び保安関連応用市場における物流管理（Ｆｌｅｅｔ  Ｍａｎａｇｅｍｅｎｔ）、機械及び設備の遠隔モニタリング、建設機械設備上の作動時間測定及び熱や電気使用量の自動測定を行う知能検針（Ｓｍａｒｔ  Ｍｅｔｅｒ）などの分野において大きな影響力を発揮してきた。将来のＭ２Ｍ通信は、既存の移動通信及び無線超高速インターネットやＷｉ−Ｆｉ及びＺｉｇｂｅｅ（登録商標）などの小出力通信ソリューションと連係してより多様な用途に活用され、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００５】
Ｍ２Ｍ通信時代において、ＳＩＭ（Ｓｕｂｓｃｒｉｂｅｒ  Ｉｄｅｎｔｉｔｙ  Ｍｏｄｕｌｅ）カードを装着した機械はいずれもデータ送受信が可能となり、遠隔管理及び統制ができる。例えば、自動車、トラック、電車、コンテナ、自動販売機、ガスタンクなどを含む数多くの機器や装備にＭ２Ｍ通信技術が利用されるなど、その適用範囲は極めて広い。
【０００６】
従来では、端末を個別単位に管理するのが一般的であり、基地局と端末間の通信は一対一通信方式で行われていた。このような一対一通信方式で数多くのＭ２Ｍ機器が基地局と通信するとすれば、各Ｍ２Ｍ機器と基地局間に発生するシグナリングによるネットワーク過負荷が予想される。上述したように、Ｍ２Ｍ通信が急に拡散され広範囲化する場合、それらＭ２Ｍ機器同士間、又は各Ｍ２Ｍ機器と基地局間の通信によるオーバーヘッド（ｏｖｅｒｈｅａｄ）が問題になることがある。
【０００７】
また、Ｍ２Ｍ機器の使用が活性化するにつれて一般端末とＭ２Ｍ機器とが混在する環境が作られる。この環境で既存の通信方法をそのまま利用すると、一般端末がＭ２Ｍ機器に関するメッセージも全てデコードしなければならないという問題が発生することもある。
【０００８】
例えば、ブロードキャストデータ又はマルチキャストデータは、基地局から一対多で送信されるメッセージであって、Ｍ２Ｍ機器と一般端末とを区別することなく送信されると、一般端末及びＭ２Ｍ機器は、送信される全てのブロードキャストデータをデコードしなければならず、電力消耗が急激に増加するだけでなく、本来受信すべきデータを受信できなくなる問題がある。
【発明の概要】
【発明が解決しようとする課題】
【０００９】
本発明は、上記のような一般的な技術の問題点を解決するために案出されたもので、その目的は、Ｍ２Ｍ機器に対する効率的な通信方法を提供することにある。
【００１０】
本発明の他の目的は、Ｍ２Ｍ機器専用のメッセージを定義し、これらのメッセージを送信する方法を提供することにある。
【００１１】
本発明の更に他の目的は、既存技術との互換性を極力保障しながら、一般端末とＭ２Ｍ機器とを区別して效率よくＭ２Ｍ機器に関する専用メッセージを放送する方法を提供することにある。
【００１２】
本発明で達成しようとする技術的目的は、以上に言及した事項に制限されず、言及していない他の技術的課題は、以下に説明する本発明の実施例から、本発明の属する技術の分野における通常の知識を有する者にとって考慮されてもよい。
【課題を解決するための手段】
【００１３】
上記の技術的課題を解決するために、本発明の実施例は、Ｍ２Ｍ機器に対する媒体接続制御（ＭＡＣ）制御メッセージを送信する方法及びそれを支援する装置を提供する。また、そのために送信されるＭＡＰメッセージに含まれた割当Ａ−ＭＡＰ情報要素を送信する方法も提供する。
【００１４】
本発明の一態様として、無線接続システムにおいてＭ２Ｍ機器に対する媒体接続制御（ＭＡＣ）制御メッセージを送信する方法は、Ｍ２Ｍ機器に対する放送割当情報を持ち運ぶ情報要素（ＩＥ）であることを表す機能インデックスフィールド、及びＭＡＣ制御メッセージが送信されるリソース領域を表す放送割当情報を含む、放送割当マップ情報要素（ＢＡ  Ａ−ＭＡＰ  ＩＥ）を受信することと、放送割当マップ情報要素にマスクされた巡回冗長検査（ＣＲＣ）ビットが、ＢＡ  Ａ−ＭＡＰ  ＩＥがＭ２Ｍ放送割当のためのものであることを表すと、放送割当情報が指示するリソース領域を通じてＭＡＣ制御メッセージを受信することと、を含むことができる。ここで、ＢＡ  Ａ−ＭＡＰ  ＩＥにマスクされるＣＲＣビットは、１ビットのマスキングプレフィックス、３ビットのタイプ指示子、及び１２ビットのマスキングコードで構成され、マスキングコードは、Ｍ２Ｍ放送割当のためのＢＡ  Ａ−ＭＡＰ  ＩＥにマスクされるために用いられる十進値であることが好ましい。
【００１５】
本発明の他の態様として、無線接続システムにおいてＭ２Ｍ機器に対する媒体接続制御（ＭＡＣ）制御メッセージを送信する方法は、Ｍ２Ｍ機器に対する放送割当情報を持ち運ぶ情報要素（ＩＥ）であることを表す機能インデックスフィールド、及びＭＡＣ制御メッセージが送信されるリソース領域を表す放送割当情報を含む、放送割当マップ情報要素（ＢＡ  Ａ−ＭＡＰ  ＩＥ）を送信することと、放送割当情報が指示するリソース領域を通じてＭＡＣ制御メッセージを送信することと、を含むことができる。ここで、放送割当マップ情報要素にマスクされた巡回冗長検査（ＣＲＣ）ビットは、ＢＡ  Ａ−ＭＡＰ  ＩＥがＭ２Ｍ放送割当のためのものであることを表し、ＢＡ  Ａ−ＭＡＰ  ＩＥにマスクされるＣＲＣビットは、１ビットのマスキングプレフィックス、３ビットのタイプ指示子及び１２ビットのマスキングコードで構成され、マスキングコードは、Ｍ２Ｍ放送割当のためのＢＡ  Ａ−ＭＡＰ  ＩＥにマスクされるために用いられる十進値であることが好ましい。
【００１６】
本発明の更に他の態様として、無線接続システムにおいて媒体接続制御（ＭＡＣ）制御メッセージを受信するＭ２Ｍ機器は、送信部、受信部、及びＭＡＣ制御メッセージの受信を支援するプロセッサを備えることができる。
【００１７】
ここで、Ｍ２Ｍ機器は、Ｍ２Ｍ機器に対する放送割当情報を持ち運ぶ情報要素（ＩＥ）であることを表す機能インデックスフィールド、及びＭＡＣ制御メッセージが送信されるリソース領域を表す放送割当情報を含む、放送割当マップ情報要素（ＢＡ  Ａ−ＭＡＰ  ＩＥ）を、受信部を介して受信し、放送割当マップ情報要素にマスクされた巡回冗長検査（ＣＲＣ）ビットが、ＢＡ  Ａ−ＭＡＰ  ＩＥがＭ２Ｍ放送割当のためのものであることを表すと、放送割当情報が指示するリソース領域を通じてＭＡＣ制御メッセージを受信部を介して受信し、ＢＡ  Ａ−ＭＡＰ  ＩＥにマスクされるＣＲＣビットは、１ビットのマスキングプレフィックス、３ビットのタイプ指示子、及び１２ビットのマスキングコードで構成され、マスキングコードは、Ｍ２Ｍ放送割当のためのＢＡ  Ａ−ＭＡＰ  ＩＥにマスクされるために使われる十進値であってもよい。
【００１８】
本発明の更に他の態様として、無線接続システムにおいてＭ２Ｍ機器に対する媒体接続制御（ＭＡＣ）制御メッセージを送信する基地局は、送信部、受信部、及びＭＡＣ制御メッセージの送信を支援するプロセッサを備えることができる。
【００１９】
ここで、基地局は、Ｍ２Ｍ機器に対する放送割当情報を持ち運ぶ情報要素（ＩＥ）であることを表す機能インデックスフィールド、及びＭＡＣ制御メッセージが送信されるリソース領域を表す放送割当情報を含む、放送割当マップ情報要素（ＢＡ  Ａ−ＭＡＰ  ＩＥ）を、送信部を介して送信し、放送割当情報が指示するリソース領域を通じてＭＡＣ制御メッセージを送信することができる。ここで、放送割当マップ情報要素にマスクされた巡回冗長検査（ＣＲＣ）ビットは、ＢＡ  Ａ−ＭＡＰ  ＩＥがＭ２Ｍ放送割当のためのものであることを表し、ＢＡ  Ａ−ＭＡＰ  ＩＥにマスクされるＣＲＣビットは、１ビットのマスキングプレフィックス、３ビットのタイプ指示子、及び１２ビットのマスキングコードで構成され、マスキングコードは、Ｍ２Ｍ放送割当のためのＢＡ  Ａ−ＭＡＰ  ＩＥにマスクされるために使われる十進値であってもよい。
【００２０】
上記の本発明の諸態様において、放送割当マップ情報要素は、放送割当マップ情報要素がＭ２Ｍ機器に対するレンジングチャネル割当情報を含むか、又は放送割当情報を含むかを表す副機能インデックスをさらに含んでもよい。
【００２１】
また、放送割当情報は、ＭＡＣ制御メッセージのサイズを表すバーストサイズフィールド、リソース領域の割当位置及びサイズを表すリソースインデックスフィールド、リソース領域が占有するサブフレームの個数を表すロングＴＴＩ指示子フィールド、及び時間領域反復の有無を表す送信フォーマットフィールドのうち一つ以上を含んでもよい。
【００２２】
また、マスキングプレフィックスは０ｂ０に設定され、タイプ指示子は０ｂ０１０に設定され、マスキングコードは十進値として４０９４を有することができる。
【００２３】
又は、マスキングプレフィックスは０ｂ０に設定され、タイプ指示子は０ｂ００１に設定され、マスキングコードは十進値として４０９５を有することもできる。
【００２４】
ここで、ＭＡＣ制御メッセージはＡＡＩ−ＭＴＥ−ＩＮＤメッセージ又はＡＡＩ−ＭＧＭＣメッセージであってもよい。
本明細書は、例えば、以下の項目も提供する。
（項目１）
無線接続システムにおいてＭ２Ｍ機器に対する媒体接続制御（ＭＡＣ）制御メッセージを送信する方法であって、
前記Ｍ２Ｍ機器に対する放送割当情報を持ち運ぶ情報要素（ＩＥ）であることを表す機能インデックスフィールド、及び前記ＭＡＣ制御メッセージが送信されるリソース領域を表す前記放送割当情報を含む、放送割当マップ情報要素（ＢＡ  Ａ−ＭＡＰ  ＩＥ）を受信することと、
前記放送割当マップ情報要素にマスクされた巡回冗長検査（ＣＲＣ）ビットが、前記ＢＡ  Ａ−ＭＡＰ  ＩＥがＭ２Ｍ放送割当のためのものであることを表すと、前記放送割当情報が指示する前記リソース領域を通じて前記ＭＡＣ制御メッセージを受信することと、を含み、
前記ＢＡ  Ａ−ＭＡＰ  ＩＥにマスクされる前記ＣＲＣビットは、１ビットのマスキングプレフィックス、３ビットのタイプ指示子、及び１２ビットのマスキングコードで構成され、
前記マスキングコードは、前記Ｍ２Ｍ放送割当のための前記ＢＡ  Ａ−ＭＡＰ  ＩＥにマスクされるために用いられる十進値である、ＭＡＣ制御メッセージ送信方法。
（項目２）
前記放送割当マップ情報要素は、該放送割当マップ情報要素が前記Ｍ２Ｍ機器に対するレンジングチャネル割当情報を含むか、又は放送割当情報を含むかを表す副機能インデックスをさらに含む、項目１に記載のＭＡＣ制御メッセージ送信方法。
（項目３）
前記放送割当情報は、前記ＭＡＣ制御メッセージのサイズを表すバーストサイズフィールド、前記リソース領域の割当位置及びサイズを表すリソースインデックスフィールド、前記リソース領域が占有するサブフレームの個数を表すロングＴＴＩ指示子フィールド、及び時間領域反復の有無を表す送信フォーマットフィールドのうち一つ以上を含む、項目１に記載のＭＡＣ制御メッセージ送信方法。
（項目４）
前記マスキングプレフィックスは０ｂ０に設定され、
前記タイプ指示子は０ｂ０１０に設定され、
前記マスキングコードは前記十進値として４０９４を有する、項目１に記載のＭＡＣ制御メッセージ送信方法。
（項目５）
前記マスキングプレフィックスは０ｂ０に設定され、
前記タイプ指示子は０ｂ００１に設定され、
前記マスキングコードは前記十進値として４０９５を有する、項目１に記載のＭＡＣ制御メッセージ送信方法。
（項目６）
前記ＭＡＣ制御メッセージはＡＡＩ−ＭＴＥ−ＩＮＤメッセージ又はＡＡＩ−ＭＧＭＣメッセージである、項目１に記載のＭＡＣ制御メッセージ送信方法。
（項目７）
無線接続システムにおいてＭ２Ｍ機器に対する媒体接続制御（ＭＡＣ）制御メッセージを送信する方法であって、
前記Ｍ２Ｍ機器に対する放送割当情報を持ち運ぶ情報要素（ＩＥ）であることを表す機能インデックスフィールド、及び前記ＭＡＣ制御メッセージが送信されるリソース領域を表す前記放送割当情報を含む、放送割当マップ情報要素（ＢＡ  Ａ−ＭＡＰ  ＩＥ）を送信することと、
前記放送割当情報が指示する前記リソース領域を通じて前記ＭＡＣ制御メッセージを送信することと、
を含み、
前記放送割当マップ情報要素にマスクされた巡回冗長検査（ＣＲＣ）ビットは、前記ＢＡ  Ａ−ＭＡＰ  ＩＥがＭ２Ｍ放送割当のためのものであることを表し、
前記ＢＡ  Ａ−ＭＡＰ  ＩＥにマスクされる前記ＣＲＣビットは、１ビットのマスキングプレフィックス、３ビットのタイプ指示子、及び１２ビットのマスキングコードで構成され、
前記マスキングコードは、前記Ｍ２Ｍ放送割当のための前記ＢＡ  Ａ−ＭＡＰ  ＩＥにマスクされるために用いられる十進値である、ＭＡＣ制御メッセージ送信方法。
（項目８）
前記放送割当マップ情報要素は、前記放送割当マップ情報要素が前記Ｍ２Ｍ機器に対するレンジングチャネル割当情報を含むか、又は放送割当情報を含むかを表す副機能インデックスをさらに含む、項目７に記載のＭＡＣ制御メッセージ送信方法。
（項目９）
前記放送割当情報は、前記ＭＡＣ制御メッセージのサイズを表すバーストサイズフィールド、前記リソース領域の割当位置及びサイズを表すリソースインデックスフィールド、前記リソース領域が占有するサブフレームの個数を表すロングＴＴＩ指示子フィールド、及び時間領域反復の有無を表す送信フォーマットフィールドのうち一つ以上を含む、項目７に記載のＭＡＣ制御メッセージ送信方法。
（項目１０）
前記マスキングプレフィックスは０ｂ０に設定され、
前記タイプ指示子は０ｂ０１０に設定され、
前記マスキングコードは前記十進値として４０９４を有する、項目７に記載のＭＡＣ制御メッセージ送信方法。
（項目１１）
前記マスキングプレフィックスは０ｂ０に設定され、
前記タイプ指示子は０ｂ００１に設定され、
前記マスキングコードは前記十進値として４０９５を有する、項目７に記載のＭＡＣ制御メッセージ送信方法。
（項目１２）
前記ＭＡＣ制御メッセージは、ＡＡＩ−ＭＴＥ−ＩＮＤメッセージ又はＡＡＩ−ＭＧＭＣメッセージである、項目７に記載のＭＡＣ制御メッセージ送信方法。
（項目１３）
無線接続システムにおいて媒体接続制御（ＭＡＣ）制御メッセージを受信するＭ２Ｍ機器であって、
送信部と、
受信部と、
前記ＭＡＣ制御メッセージの受信を支援するプロセッサと、
を備え、
前記Ｍ２Ｍ機器は、
前記Ｍ２Ｍ機器に対する放送割当情報を持ち運ぶ情報要素（ＩＥ）であることを表す機能インデックスフィールド、及び前記ＭＡＣ制御メッセージが送信されるリソース領域を表す前記放送割当情報を含む、放送割当マップ情報要素（ＢＡ  Ａ−ＭＡＰ  ＩＥ）を前記受信部を介して受信し、
前記放送割当マップ情報要素にマスクされた巡回冗長検査（ＣＲＣ）ビットが、前記  ＢＡ  Ａ−ＭＡＰ  ＩＥがＭ２Ｍ放送割当のためのものであることを表すと、前記放送割当情報が指示する前記リソース領域を通じて前記ＭＡＣ制御メッセージを前記受信部を介して受信し、
前記ＢＡ  Ａ−ＭＡＰ  ＩＥにマスクされる前記ＣＲＣビットは、１ビットのマスキングプレフィックス、３ビットのタイプ指示子、及び１２ビットのマスキングコードで構成され、
前記マスキングコードは、前記Ｍ２Ｍ放送割当のための前記ＢＡ  Ａ−ＭＡＰ  ＩＥにマスクされるために用いられる十進値である、Ｍ２Ｍ機器。
（項目１４）
前記放送割当マップ情報要素は、前記放送割当マップ情報要素が前記Ｍ２Ｍ機器に対するレンジングチャネル割当情報を含むか、又は放送割当情報を含むかを表す副機能インデックスをさらに含む、項目１３に記載のＭ２Ｍ機器。
（項目１５）
前記放送割当情報は、前記ＭＡＣ制御メッセージのサイズを表すバーストサイズフィールド、前記リソース領域の割当位置及びサイズを表すリソースインデックスフィールド、前記リソース領域が占有するサブフレームの個数を表すロングＴＴＩ指示子フィールド、及び時間領域反復の有無を表す送信フォーマットフィールドのうち一つ以上を含む、項目１３に記載のＭ２Ｍ機器。
（項目１６）
前記マスキングプレフィックスは０ｂ０に設定され、
前記タイプ指示子は０ｂ０１０に設定され、
前記マスキングコードは前記十進値として４０９４を有する、項目１３に記載のＭ２Ｍ機器。
（項目１７）
前記マスキングプレフィックスは０ｂ０に設定され、
前記タイプ指示子は０ｂ００１に設定され、
前記マスキングコードは前記十進値として４０９５を有する、項目１３に記載のＭ２Ｍ機器。
（項目１８）
前記ＭＡＣ制御メッセージは、ＡＡＩ−ＭＴＥ−ＩＮＤメッセージ又はＡＡＩ−ＭＧＭＣメッセージである、項目１３に記載のＭ２Ｍ機器。
（項目１９）
無線接続システムにおいてＭ２Ｍ機器に対する媒体接続制御（ＭＡＣ）制御メッセージを送信する基地局であって、
送信部と、
受信部と、
前記ＭＡＣ制御メッセージの送信を支援するプロセッサと、
を備え、
前記基地局は、
前記Ｍ２Ｍ機器に対する放送割当情報を持ち運ぶ情報要素（ＩＥ）であることを表す機能インデックスフィールド、及び前記ＭＡＣ制御メッセージが送信されるリソース領域を表す前記放送割当情報を含む、放送割当マップ情報要素（ＢＡ  Ａ−ＭＡＰ  ＩＥ）を前記送信部を介して送信し、
前記放送割当情報が指示する前記リソース領域を通じて前記ＭＡＣ制御メッセージを送信し、
前記放送割当マップ情報要素にマスクされた巡回冗長検査（ＣＲＣ）ビットは、前記ＢＡ  Ａ−ＭＡＰ  ＩＥが前記Ｍ２Ｍ放送割当のためのものであることを表し、
前記ＢＡ  Ａ−ＭＡＰ  ＩＥにマスクされる前記ＣＲＣビットは、１ビットのマスキングプレフィックス、３ビットのタイプ指示子、及び１２ビットのマスキングコードで構成され、
前記マスキングコードは、前記Ｍ２Ｍ放送割当のための前記ＢＡ  Ａ−ＭＡＰ  ＩＥにマスクされるために用いられる十進値である、基地局。
（項目２０）
前記放送割当マップ情報要素は、前記放送割当マップ情報要素が前記Ｍ２Ｍ機器に対するレンジングチャネル割当情報を含むか、又は放送割当情報を含むかを表す副機能インデックスをさらに含む、項目１９に記載の基地局。
（項目２１）
前記放送割当情報は、前記ＭＡＣ制御メッセージのサイズを表すバーストサイズフィールド、前記リソース領域の割当位置及びサイズを表すリソースインデックスフィールド、前記リソース領域が占有するサブフレームの個数を表すロングＴＴＩ指示子フィールド、及び時間領域反復の有無を表す送信フォーマットフィールドのうち一つ以上を含む、項目１９に記載の基地局。
（項目２２）
前記マスキングプレフィックスは０ｂ０に設定され、
前記タイプ指示子は０ｂ０１０に設定され、
前記マスキングコードは前記十進値として４０９４を有する、項目１９に記載の基地局。
（項目２３）
前記マスキングプレフィックスは０ｂ０に設定され、
前記タイプ指示子は０ｂ００１に設定され、
前記マスキングコードは前記十進値として４０９５を有する、項目１９に記載の基地局。
（項目２４）
前記ＭＡＣ制御メッセージは、ＡＡＩ−ＭＴＥ−ＩＮＤメッセージ又はＡＡＩ−ＭＧＭＣメッセージである、項目１９に記載の基地局。
【００２５】
上記の本発明の態様は本発明の好適な実施例の例示に過ぎず、本願発明の技術的特徴が反映された様々な実施例が、当該技術の分野における通常の知識を有する者にとって、以下に詳述する本発明の詳細な説明から導出され、理解されてもよい。
【発明の効果】
【００２６】
本発明の実施例によれば、下記のような効果が得られる。
【００２７】
第一に、Ｍ２Ｍ機器に対して效率的に通信を行うことができる。
【００２８】
第二に、Ｍ２Ｍ機器専用に定義されたメッセージを用いることによって、一般端末が混在している状況でもＭ２Ｍ端末に対する効率的な通信が可能である。また、一般端末はＭ２Ｍ専用のメッセージをデコードせず、電力の無駄使いを防止することができる。
【００２９】
第三に、既存技術との互換性を極力保障しながら、一般端末とＭ２Ｍ機器とを区別して效率よくＭ２Ｍ機器に対する専用メッセージを放送することができる。
【００３０】
本発明の付加的な利点、目的、特徴は、以下の説明から、又は当業者が以下の説明に基づいて本発明を実施することから容易に理解されるであろう。また、本発明は、当業者が以下の説明に基づいて本発明を実施する上で予測できない長所を導出することもできる。
【図面の簡単な説明】
【００３１】
添付の図面は、本発明に関する理解を助けるためのもので、詳細な説明と共に本発明の実施例を提供する。ただし、本発明の技術的特徴が特定図面に限定されるものではなく、各図で開示する特徴を組み合わせて新しい実施例とすることもできる。
【図１】本発明の実施例として、Ｍ２Ｍ機器及び基地局などの装置構成を概略的に説明するための図である。
【図２】遊休モードで行われるページング方法の一例を示すフローチャートである。
【図３】本発明の実施例として、Ｍ２Ｍ機器に対するブロードキャストＭＡＣ制御メッセージを送信する方法の一例を示す図である。
【図４】本発明の実施例として、Ｍ２Ｍ機器に対するブロードキャストＭＡＣ制御メッセージを送信する方法の他の例を示す図である。
【発明を実施するための形態】
【００３２】
本発明の実施例は、無線接続システムで適用される機器間通信（Ｍ２Ｍ）において媒体接続制御（ＭＡＣ）制御メッセージを送信する方法及びそれを支援する装置を提供する。また、このようなＭＡＣ制御メッセージを送信するためのＭＡＰメッセージに含まれた割当Ａ−ＭＡＰ情報要素を送信する方法を提供する。
【００３３】
以下の実施例は、本発明の構成要素と特徴を所定の形態に結合したものである。各構成要素又は特徴は、特別な明示的言及がない限り、選択的なものとして考慮すればよい。各構成要素又は特徴は、他の構成要素や特徴と結合しない形態で実施してもよく、一部の構成要素及び／又は特徴を結合して本発明の実施例を構成してもよい。本発明の実施例で説明される動作の順序は変更してもよい。ある実施例の一部構成や特徴は、他の実施例に含まれてもよく、又は他の実施例の対応する構成又は特徴に取り替えられてもよい。
【００３４】
図面に関する説明において、本発明の要旨を曖昧にさせると判断される手順又は段階などは記述せず、また、当業者のレベルで理解できるような手順又は段階も記述しないものとする。
【００３５】
本明細書で、本発明の実施例が基地局と移動局間のデータ送受信関係を中心に説明されている。ここで、基地局は移動局と直接通信を行うネットワークの終端ノード（ｔｅｒｍｉｎａｌ  ｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００３６】
すなわち、基地局を含む複数のネットワークノードで構成されるネットワークにおいて、移動局との通信のために行われる様々な動作は、基地局又は基地局以外の他のネットワークノードによって行われる。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）、又はアクセスポイント（ａｃｃｅｓｓ  ｐｏｉｎｔ）などの用語に代替してもよい。
【００３７】
また、「移動局（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（ＡＭＳ：Ａｄｖａｎｃｅｄ  Ｍｏｂｉｌｅ  Ｓｔａｔｉｏｎ）、又は端末（Ｔｅｒｍｉｎａｌ）などの用語に代替してもよい。特に、本発明では、移動局をＭ２Ｍ機器と同じ意味で使うことができる。
【００３８】
また、送信端は、データサービス又は音声サービスを提供する固定及び／又は移動ノードのことを意味し、受信端は、データサービス又は音声サービスを受信する固定及び／又は移動ノードのことを意味する。したがって、アップリンクでは移動局を送信端、基地局を受信端とすることができる。同様に、下りリンクでは移動局を受信端、基地局を送信端とすることができる。
【００３９】
本発明の実施例は、無線接続システムであるＩＥＥＥ  ８０２．ｘｘシステム、３ＧＰＰシステム、３ＧＰＰ  ＬＴＥシステム及び３ＧＰＰ２システムの少なくとも一つに開示された標準文書によってサポートすることができる。すなわち、これらの文書を参照して、本発明の実施例において説明していない自明な段階又は部分を説明することができる。
【００４０】
また、本文書で開示している全ての用語は、上記標準文書によって説明することができる。特に、本発明の実施例は、ＩＥＥＥ  ８０２．１６システムの標準文書であるＰ８０２．１６ｅ−２００４、Ｐ８０２．１６ｅ−２００５、Ｐ８０２．１６ｍ、Ｐ８０２．１６ｐ及びＰ８０２．１６．１ｂの一つ以上によってサポートすることができる。
【００４１】
以下、本発明の好適な実施の形態を添付の図面を参照して詳細に説明する。添付の図面と共に以下に開示される詳細な説明は、本発明の例示的な実施の形態を説明するためのもので、本発明を実施できる唯一の実施の形態を示すためのものではない。
【００４２】
以下では、添付の図面を参照しつつ本発明の実施例について、本発明の属する技術の分野における通常の知識を有する者が容易に実施できるように詳しく説明する。しかし、本発明は、他の様々な形態に具体化してもよく、ここで説明する実施例に限定されるものではない。なお、図面中、本発明を明確に説明するために、説明と関係しない部分は省略し、明細書全体を通じて同一の部分には同一の図面符号を付する。
【００４３】
明細書全体において、ある部分がある構成要素を「含む」としたとき、これは、特別な記載がない限り、他の構成要素を除外するという意味ではなく、他の構成要素を更に含んでもよいという意味である。また、明細書に記載された「…部」、「…器」、「モジュール」などの用語は少なくとも一つの機能や動作を処理する単位を意味し、これは、ハードウェア、ソフトウェア、又はハードウェアとソフトウェアとの結合によって具現することができる。
【００４４】
また、本発明の実施例で使用する特定用語は、本発明の理解を助けるために提供されたものであり、このような特定用語の使用は、本発明の技術的思想から逸脱しない範囲で他の形態に変更してもよい。
【００４５】
１．Ｍ２Ｍ機器一般
以下で、Ｍ２Ｍ機器間の通信は、基地局を経由した端末間の通信形態、人間の介入無しで基地局と端末間で行う通信形態、又はＭ２Ｍ機器間の通信形態を意味する。したがって、Ｍ２Ｍ機器（Ｄｅｖｉｃｅ）は、上記のようなＭ２Ｍ機器の通信をサポートできる端末を意味する。
【００４６】
Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーという。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）は、Ｍ２Ｍアプリケーションの特徴であり、アプリケーションを提供するために一つ以上の特徴を必要とすることがある。Ｍ２Ｍ機器グループは、共通の一つ以上の特徴を共有するＭ２Ｍ機器のグループを意味する。
【００４７】
Ｍ２Ｍ方式で通信する機器（すなわち、Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器など、様々に呼ぶことができる。）は、その機器アプリケーションタイプ（Ｍａｃｈｉｎｅ  Ａｐｐｌｉｃａｔｉｏｎ  Ｔｙｐｅ）が増加するに伴って一定のネットワークにおいてその数が次第に増加していくだろう。
【００４８】
機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔維持及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ：Ｐｏｉｎｔ  Ｏｆ  Ｓａｌｅｓ）及び保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間の測定及び熱や電気使用量の自動測定を行う知能検針（Ｓｍａｒｔ  Ｍｅｔｅｒ）、（１２）監視カメラの監視ビデオ（Ｓｕｒｖｅｉｌｌａｎｃｅ  Ｖｉｄｅｏ）通信などがある。ただし、これらに機器アプリケーションタイプが限定されることはなく、その他様々な機器アプリケーションタイプを適用してもよい。
【００４９】
Ｍ２Ｍ機器の他の特性には、低い移動性、又は一度設置されたら殆ど移動しないという特性がある。すなわち、Ｍ２Ｍ機器は極めて長時間にわたって固定しているという特性を有する。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔維持及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのように、固定した位置を有する特定Ｍ２Ｍアプリケーションのための移動性関連動作を単純化したり又は最適化することができる。
【００５０】
このように機器アプリケーションタイプが増加すると、Ｍ２Ｍ通信機器の数は一般移動通信機器の数に比べて飛躍的に増加するだろう。そのため、これら機器の全てが基地局とそれぞれ個別に通信を行う場合、無線インターフェース及び／又はネットワークに深刻な負荷が与えられることがある。
【００５１】
以下では、Ｍ２Ｍ通信が無線通信システム（例えば、Ｐ８０２．１６ｅ、Ｐ８０２．１６ｍ、Ｐ８０２．１６．１ｂ、Ｐ８０２．１６ｐなど）に適用される場合を挙げて本発明の実施例を説明する。しかし、本発明はこれに限定されず、３ＧＰＰ  ＬＴＥ／ＬＴＥ−Ａシステムなど他の通信システムに適用することもできる。
【００５２】
図１は、本発明の実施例に係るＭ２Ｍ機器及び基地局などの装置構成を概略的に説明するための図である。
【００５３】
図１で、Ｍ２Ｍ機器１００及び基地局１５０はそれぞれ、無線周波数ユニット（ＲＦユニット）１１０，１６０、プロセッサ１２０，１７０、及び選択的にメモリー１３０，１８０を備えることができる。図１では、一つのＭ２Ｍ機器と一つの基地局の構成を示しているが、複数のＭ２Ｍ機器と基地局間にＭ２Ｍ通信環境を構築することもできる。
【００５４】
各ＲＦユニット１１０，１６０はそれぞれ、送信器１１１，１６１及び受信器１１２，１６２を備えることができる。Ｍ２Ｍ機器１００の送信器１１１及び受信器１１２は、基地局１５０及び他のＭ２Ｍ機器と信号を送受するように構成し、プロセッサ１２０は、送信器１１１及び受信器１１２と機能的に接続し、送信器１１１及び受信器１１２が他の機器と信号を送受する過程を制御するように構成することができる。また、プロセッサ１２０は、送信する信号に対する各種処理を行って送信器１１１に送信し、受信器１１２が受信した信号の処理を行うことができる。
【００５５】
必要な場合、プロセッサ１２０は、交換したメッセージに含まれた情報をメモリー１３０に保存することができる。このような構造によって、Ｍ２Ｍ機器１００は以下に説明する本発明の様々な実施の形態に係る方法を実行することができる。
【００５６】
一方、図１に示してはいないが、Ｍ２Ｍ機器１００は、その機器アプリケーションタイプによって様々な追加構成を有することもできる。例えば、Ｍ２Ｍ機器１００が知能型計量のためのものである場合、Ｍ２Ｍ機器１００は電力測定などのための追加的な構成を有することができ、このような電力測定動作は、図１に示したプロセッサ１２０によって制御されてもよく、又は、別個に構成されたプロセッサ（図示せず）によって制御されてもよい。
【００５７】
図１は、Ｍ２Ｍ機器１００と基地局１５０間に通信がなされる場合を例示しているが、本発明に係るＭ２Ｍ通信方法は、複数のＭ２Ｍ機器間に発生することもあり、それぞれの機器は、図１に示した各装置構成と同じ形態で後述の様々な実施の形態に係る方法を実行することができる。
【００５８】
基地局１５０の送信器１６１及び受信器１６２は、他の基地局、Ｍ２Ｍサーバー、Ｍ２Ｍ機器と信号を送受するように構成し、プロセッサ１７０は、送信器１６１及び受信器１６２と機能的に接続し、送信器１６１及び受信器１６２が他の機器と信号を送受する過程を制御するように構成することができる。また、プロセッサ１７０は、送信する信号に対する各種処理を行って送信器１６１に送信し、受信器１６２が受信した信号に対する処理を行うことができる。必要な場合、プロセッサ１７０は、交換したメッセージに含まれた情報をメモリー１８０に保存することができる。このような構造によって基地局１５０は、後述する様々な実施の形態に係る方法を実行することができる。
【００５９】
Ｍ２Ｍ機器１１０及び基地局１５０の各プロセッサ１２０，１７０はそれぞれ、Ｍ２Ｍ機器１１０及び基地局１５０での動作を指示（例えば、制御、調整、管理など）する。それぞれのプロセッサ１２０，１７０は、プログラムコード及びデータを保存するメモリー１３０，１８０と接続することができる。メモリー１３０，１８０はプロセッサ１２０，１７０に接続し、オペレーティングシステム、アプリケーション、及び一般ファイル（ｇｅｎｅｒａｌ  ｆｉｌｅｓ）を保存する。
【００６０】
本発明のプロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ１２０，１７０は、ハードウェア（ｈａｒｄｗａｒｅ）、ファームウェア（ｆｉｒｍｗａｒｅ）、ソフトウェア、又はこれらの結合によって具現することができる。ハードウェアを用いて本発明の実施例を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ１２０，１７０に備えることができる。
【００６１】
一方、ファームウェアやソフトウェアを用いて本発明の実施例を具現する場合には、本発明の機能又は動作を実行するモジュール、手順又は関数などを含むようにファームウェアやソフトウェアを構成することができ、本発明を実行できるように構成されたファームウェア又はソフトウェアは、プロセッサ１２０，１７０内に設けたり又はメモリー１３０，１８０に格納し、プロセッサ１２０，１７０によって駆動することができる。
【００６２】
２．遊休モード（Ｉｄｌｅ  Ｍｏｄｅ）
以下では、本発明の実施例が実行されるＭ２Ｍ環境における遊休モード（Ｉｄｌｅ  Ｍｏｄｅ）について説明する。
【００６３】
遊休モードとは、Ｍ２Ｍ機器（すなわち、端末）が基地局からトラフィック（ｔｒａｆｆｉｃ）を一定時間受信しないとき、電力を節約（Ｐｏｗｅｒ  ｓａｖｉｎｇ）するよう、ページンググループ（Ｐａｇｉｎｇ  Ｇｒｏｕｐ）、ページングサイクル（Ｐａｇｉｎｇ  Ｃｙｃｌｅ）、ページングオフセット（Ｐａｇｉｎｇ  Ｏｆｆｓｅｔ）を運用するモードのことをいう。
【００６４】
例えば、遊休モードに遷移した端末は、ページングサイクルのページング利用可能区間（Ａｖａｉｌａｂｌｅ  Ｉｎｔｅｒｖａｌ）でのみ、基地局が放送する放送メッセージ（例えば、ページングメッセージ）を受信し、一般モード（ｎｏｒｍａｌ  ｍｏｄｅ）に遷移するか又は遊休状態を維持するかを判断することができる。
【００６５】
また、遊休モードは、端末が広範囲な地域にわたって複数の基地局が存在する無線リンク環境を歩き回る場合にも、特定基地局に登録することなく（すなわち、ハンドオーバーなどを行うことなく）周期的に下りリンクメッセージを受信できるメカニズムである。
【００６６】
遊休モードは、説明の便宜上、ＩＥＥＥ  ８０２．１６ｅ、１６ｍ、１６ｐシステムを基準にして記述する。しかし、本発明の技術的思想がこれに限定されるものではない。端末は、遊休モードに進入する目的で、基地局との登録解除を要請するために基地局に登録解除要請（ＤＲＥＧ−ＲＥＱ：Ｄｅｒｅｇｉｓｔｒａｔｉｏｎ  Ｒｅｑｅｕｓｔ）メッセージを送信する。以降、基地局はＤＲＥＧ−ＲＥＱメッセージに対する応答として登録解除応答（ＤＲＥＧ−ＲＳＰ：Ｄｅｒｅｇｉｓｔｒａｔｉｏｎ  Ｒｅｓｐｏｎｓｅ）メッセージを端末に送信する。この時、ＤＲＥＧ−ＲＳＰメッセージはページング情報（Ｐａｇｉｎｇ  Ｉｎｆｏｒｍａｔｉｏｎ）を含む。ここで、端末の遊休モードへの進入は基地局の要請によって開始されることもある（ｕｎｓｏｌｉｃｉａｔｅｄ  ｍａｎｎｅｒ）。この場合、基地局は端末にＤＲＥＧ−ＲＳＰメッセージを送信する。
【００６７】
ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  Ｇｒｏｕｐ  ＩＤｅｎｔｉｆｉｅｒ）及びページング聴取区間（Ｐａｇｉｎｇ  Ｌｉｓｔｅｎｉｎｇ  Ｉｎｔｅｒｖａｌ）値などを含むことができる。
【００６８】
基地局からＤＲＥＧ−ＲＳＰメッセージを受信した端末は、当該ページング情報を参照して遊休モードに進入する。遊休モードは、ページング周期（Ｐａｇｉｎｇ  Ｃｙｃｌｅ）を有し、一つのページング周期は、ページング聴取区間（Ｐａｇｉｎｇ  Ｌｉｓｔｅｎｉｎｇ  Ｉｎｔｅｒｖａｌ）及び利用不可区間（Ｕｎａｖａｉｌａｂｌｅ  Ｉｎｔｅｒｖａｌ）で構成することができる。このとき、ページング聴取区間は、利用可能区間（Ａｖａｉｌａｂｌｅ  Ｉｎｔｅｒｖａｌ）又はページング区間（ｐａｇｉｎｇ  ｉｎｔｅｒｖａｌ）と同じ概念で使うことができる。
【００６９】
ページングオフセットは、ページング周期内でページング聴取区間が始まる時点（例えば、フレーム又はサブフレーム）を表す。また、ページンググループ識別子は、端末に割り当てられたページンググループの識別子を表す。また、ページング情報は、ページングメッセージオフセット（ｐａｇｉｎｇ  ｍｅｓｓａｇｅ  ｏｆｆｓｅｔ）情報を含むことができる。ここで、ページングメッセージオフセット情報は、基地局からページングメッセージが送信される時点を表す。
【００７０】
以降、端末はページング情報を用いてページング聴取区間で自身に伝達されるページングメッセージを受信することができる。ここで、ページングメッセージは基地局又はページング制御機から送信することができる。すなわち、端末は、ページングメッセージを受信するためにページング周期によって無線チャネルをモニタする。
【００７１】
図２は、遊休モードで行われるページング方法の一例を示すフローチャートである。
【００７２】
基地局は、自身の属したページンググループ内に存在する遊休モードの端末に下りリンクデータが発生すると、当該端末にそれを知らせるためにページングメッセージを送信することができる。端末は、自身のページング聴取区間でページングメッセージを受信し、自身に伝達される下りリンク（ＤＬ）データがあるか否か確認する（Ｓ２１０）。
【００７３】
もし、下りリンクデータがあると（すなわち、ｐｏｓｉｔｉｖｅ  ｉｎｄｉｃａｔｉｏｎ）、端末は、レンジング（ｒａｎｇｉｎｇ）過程を含むネットワーク再進入（ｎｅｔｗｏｒｋ  ｒｅｅｎｔｒｙ）過程を行う（Ｓ２２０）。以降、端末は基地局と動的サービス追加（ＤＳＡ：Ｄｙｎａｍｉｃ  Ｓｅｒｖｉｃｅ  Ａｄｄｉｔｉｏｎ）過程によって関連の下りリンクサービスフローに対する接続を設定する過程（Ｃｏｎｎｅｃｔｉｏｎ  Ｓｅｔｕｐ）を行う（Ｓ２３０）。
【００７４】
サービスフローに対する接続が設定された後、基地局は端末に当該サービスに関する下りリンク制御情報及び下りリンクデータを送信する（Ｓ２４０）。
【００７５】
Ｍ２Ｍシナリオにおいて、大部分のＭ２Ｍ機器（ｄｅｖｉｃｅ）は、携帯電話のような一般端末のようにユーザが持って歩く端末でないため、Ｍ２Ｍ機器に対する自動アプリケーション（ａｕｔｏｍａｔｉｃ  ａｐｐｌｉｃａｔｉｏｎ）又はファームウェアアップデート（ｆｉｒｍｗａｒｅ  ｕｐｄａｔｅ）過程はＭ２Ｍサービスシナリオにおいて主要なアプリケーション（ａｐｐｌｉｃａｔｉｏｎ）となることがある。
【００７６】
例えば、各機器（ｄｅｖｉｃｅ）のファームウェア（ｆｉｒｍｗａｒｅ）をアップデートするために、Ｍ２Ｍサーバーは、該当のアプリケーション（ａｐｐｌｉｃａｔｉｏｎ）を有しているＭ２Ｍ機器に、アップデートされた情報を送信することができる。遊休モードのＭ２Ｍ機器に共通に送信すべきこのようなマルチキャストデータ（ｍｕｌｔｉｃａｓｔ  ｄａｔａ）を送信するために、基地局は、図２で説明したページング過程を通じて当該Ｍ２Ｍ機器をページングすることができる。
【００７７】
ページングされた端末はランダムアクセスコード（ｒａｎｄｏｍ  ａｃｃｅｓｓ  ｃｏｄｅ）の送信を開始してネットワーク再進入（ｎｅｔｗｏｒｋ  ｒｅｅｎｔｒｙ）過程を行ってネットワークに接続し、基地局が送信した下りリンクトラフィック（ＤＬ  ｔｒａｆｆｉｃ）を受信する。これらの過程はネットワーク（ｎｅｔｗｏｒｋ）における不必要なリソース使用を増加させることがある。また、Ｍ２Ｍ機器及び一般端末が混在している状況で、互いに不必要なデータを受信することによって各端末の電力消耗が増加することもある。
【００７８】
３．遊休モードでＭ２Ｍマルチキャスト動作
Ｍ２Ｍ基地局は遊休モードにあるＭ２Ｍ端末にネットワーク再進入を要請したり要請しない状態でマルチキャストサービスを提供することができる。基地局が下りリンク（ＤＬ）マルチキャストデータを送信する前に、基地局はマルチキャストトラフィック指示を含むページングメッセージをページング聴取区間にＭ２Ｍ端末に送信することができる。仮に、Ｍ２Ｍ機器がネットワーク再進入無しでマルチキャストトラフィックを受信するように指示するページングメッセージを受信し、当該ページングメッセージがマルチキャスト送信開始時間（Ｍｕｌｔｉｃａｓｔ  Ｔｒａｎｓｍｉｓｓｉｏｎ  Ｓｔａｒｔ  Ｔｉｍｅ）に関する情報を含んでいないと、当該Ｍ２Ｍ機器は遊休モードを終了せず、ＤＬマルチキャストデータの受信を始める。
【００７９】
ページングメッセージに含まれるマルチキャスト送信開始時間は、基地局の送信するＤＬマルチキャストデータが送信される時点を指示する。マルチキャスト送信開始時間値は、ページングメッセージ（例えば、ＡＡＩ−ＰＡＧ−ＡＤＶ）を受信したＭ２Ｍ機器の次のページング聴取区間の開始時間よりも小さくなっていなければならない。Ｍ２Ｍ機器は、ページングメッセージに含まれたマルチキャスト送信開始時間によって指示されたフレームまで電力を消しておくことができる。マルチキャストデータ送信が終了すると、基地局はＡＡＩ−ＭＴＥ−ＩＮＤメッセージを当該Ｍ２Ｍ機器に送信する。Ｍ２Ｍ機器はＡＡＩ−ＭＴＥ−ＩＮＤメッセージを受信するとすぐにページング不可区間に進入することができる。
【００８０】
４．媒体接続制御（ＭＡＣ）制御メッセージ
以下では、本発明の実施例で用いられるＭＡＣ制御メッセージについて詳しく説明する。
【００８１】
（１）ブロードキャスト割当Ａ−ＭＡＰ情報要素
ブロードキャスト割当Ａ−ＭＡＰ情報要素（ＢＡ  Ａ−ＭＡＰ  ＩＥ：Ｂｒｏａｄｃａｓｔ  Ａｓｓｉｇｍｅｎｔ  Ａ−ＭＡＰ  Ｉｎｆｏｒｍａｔｉｏｎ  Ｅｌｅｍｅｎｔ）は、ブロードキャストバースト、マルチキャストバースト又はＮＳ−ＲＣＨに対するリソースを割り当てるために送信される。ブロードキャストバーストは一つ以上のブロードキャストＭＡＣ制御メッセージを含むことができる。下記の表１は、本発明の実施例で利用できるＢＡ  Ａ−ＭＡＰ  ＩＥの構造の一つを表すものである。
【００８２】
【表１−１】
0005893751.tif 000002
【００８３】
【表１−２】
0005893751.tif 000003
ＢＡ  Ａ−ＭＡＰ  ＩＥに含まれるフィールドの具体的な動作は、表１に説明されている。表１で、機能インデックス（Ｆｕｎｃｔｉｏｎ  ｉｎｄｅｘ）が０ｂ００を表すと、当該ＢＡ  Ａ−ＭＡＰ  ＩＥが放送割当情報を含むことを表し、０ｂ１０に設定されると、当該ＢＡ  Ａ−ＭＡＰ  ＩＥがマルチキャスト割当情報を含むことを表す。
【００８４】
すなわち、機能インデックスの設定値によって、ＢＡ  Ａ−ＭＡＰ  ＩＥはブロードキャスト送信及び／又はマルチキャスト送信のためのリソース割当情報（例えば、バーストサイズ（Ｂｕｒｓｔ  ｓｉｚｅ）フィールド、リソースインデックス（Ｒｅｓｏｒｕｃｅ  Ｉｎｄｅｘ）フィールド、ロングＴＴＩ指示子（Ｌｏｎｇ  ＴＴＩ  Ｉｎｄｉｃａｔｏｒ）フィールド、送信フォーマット（Ｔｒａｎｓｍｉｓｓｉｏｎ  ｆｏｒｍａｔ）フィールド、マルチキャストグループ識別子（Ｍｕｌｔｉｃａｓｔ  Ｇｒｏｕｐ  ＩＤ）フィールドのうち一つ以上）を更に含むことができる。
【００８５】
表１のＢＡ  Ａ−ＭＡＰ  ＩＥに適用される１６ビットＣＲＣは、ＢＡ  Ａ−ＭＡＰ  ＩＥに含まれた内容（ｃｏｎｔｅｎｔｓ）によって生成される。ＣＲＣは、下記の表２によって生成される１６ビットＣＲＣで、ＢＡ  Ａ−ＭＡＰ  ＩＥにマスクされる。
【００８６】
【表２】
0005893751.tif 000004
【００８７】
表２を参照すると、マスキングプレフィックスは、１６ビットのＣＲＣの中で最上位１ビットを使用し、メッセージタイプ指示子（Ｔｙｐｅ  Ｉｎｄｉｃａｔｏｒ）は３ビットを、マスキングコードはタイプ指示子によって１２ビットを使用する。例えば、タイプ指示子が０ｂ０００に設定されると、マスキングコードは１２ビットのステーション識別子（ＳＴＩＤ：Ｓｔａｔｉｏｎ  Ｉｄｅｎｔｉｆｉｅｒ）又は臨時ステーション識別子（ＴＳＴＩＤ：Ｔｅｍｐｏｒａｒｙ  ＳＴＩＤ）を使用する。また、タイプ指示子が０ｂ００１に設定されると、下記の表３で指示する値を使用する。
【００８８】
表３は、表２のマスキングプレフィックス（Ｍａｓｋｉｎｇ  Ｐｒｅｆｉｘ）が０ｂ０であり、タイプ指示子（Ｔｙｐｅ  ｉｎｄｉｃａｔｏｒ）が０ｂ００１であるとき、Ｍ２Ｍ放送のためのマスキングコードの例を示すものである。
【００８９】
【表３】
0005893751.tif 000005
【００９０】
表３を参照すると、各割当Ａ−ＭＡＰ  ＩＥによって使用されるマスキングコードが十進値で表示されている。
【００９１】
再び表１及び表２を参照すると、ＢＡ  Ａ−ＭＡＰ  ＩＥの機能インデックスが０ｂ００又は０ｂ０１に設定されると、マスキングプレフィックス（Ｍａｓｋｉｎｇ  Ｐｒｅｆｉｘ）は０ｂ０であり、且つメッセージタイプ指示子（Ｔｙｐｅ  ｉｎｄｉｃａｔｏｒ）は０ｂ００１である１６ビットＣＲＣがＢＡ  Ａ−ＭＡＰ  ＩＥにマスクされる。仮に、機能インデックスが０ｂ１０に設定されると、表２のマスキングプレフィックスは０ｂ０であり、且つメッセージタイプ指示子は０ｂ０１０である１６ビットＣＲＣがＢＡ  Ａ−ＭＡＰ  ＩＥにマスクされる。
【００９２】
表１で、マルチキャストグループ識別子（ＭＧＩＤ：Ｍｕｌｔｉｃａｓｔ  Ｇｒｏｕｐ  ＩＤ）は、マルチキャストバーストを受信するグループの識別子であり、基地局（ＡＢＳ）において固有の値である。ＭＧＩＤは、ＤＳＡ過程（ＤＳＡ−ＲＥＱ／ＲＳＰメッセージ）によって割り当て、ＤＳＣ過程（ＤＳＣ−ＲＥＱ／ＲＳＰ）によって変更することができる。
【００９３】
ＢＡ  Ａ−ＭＡＰ  ＩＥによって送信されるブロードキャスト及びマルチキャストバーストは、ＭＩＭＯエンコーダフォーマットとしてＳＦＢＣ及び変調方式としてＱＰＳＫを用いて送信する。ただし、トラフィック指示メッセージ（ＡＡＩ−ＴＲＦ−ＩＮＤ）、ページングメッセージ（ＡＡＩ−ＰＡＧ−ＡＤＶ）、及びページング情報メッセージ（ＰＧ＿Ｉｎｆｏ）は時間領域反復で送信しない。他のブロードキャストＭＡＣ制御メッセージは、時間領域反復で送信することができる。時間領域反復の周期は１フレームである。
【００９４】
ブロードキャストバーストが反復的に送信されるその周期において、他のブロードキャストバーストは時間領域反復無しでのみ送信することができる。時間領域反復によって、伝送各ブロードキャストバースト送信に対して、ＡＢＳは、送信の都度残りの反復回数値が１ずつ減るＢＡ  Ａ−ＭＡＰ  ＩＥを送信する。すなわち、ＡＢＳが、残りの反復回数値がＮ−１であるとき、ｋ番目のフレームで最初の送信を行うとすれば、その送信はｋ＋Ｎ−１番目のフレームで完了する。また、反復フィールドの値は送信の都度１ずつ減る。
【００９５】
ＢＡ  Ａ−ＭＡＰ  ＩＥの他のフィールドの中でリソースインデックスフィールドのみが、時間領域反復が行われる周期において変更される。ブロードキャストバースト送信に対してＳＰＩＤは常に０に設定される。ロングＴＴＩ指示子フィールド及び送信フォーマットフィールドが１に設定されると、ブロードキャストバーストは、スーパーフレームヘッダ（ＳＦＨ：Ｓｕｐｅｒ  Ｆｒａｍｅ  Ｈｅａｄｅｒ）が送信されるフレームでは割り当てられない。
【００９６】
（２）Ｍ２Ｍ機器グループＭＡＣ制御（ＡＡＩ−ＭＧＭＣ）メッセージ
以下では、本発明の実施例で利用できるＡＡＩ−ＭＧＭＣ（Ｍ２Ｍ  ｄｅｖｉｃｅ  Ｇｒｏｕｐ  ＭＡＣ  Ｃｏｎｔｒｏｌ）メッセージについて説明する。
【００９７】
ＡＡＩ−ＭＧＭＣメッセージは、同一のＭ２Ｍ機器グループに属している端末（すなわち、Ｍ２Ｍ機器）のグループにパラメータ及び／又は指示を伝達するために送信される。ＡＢＳは、遊休モードではなく接続状態の端末にＡＡＩ−ＭＧＭＣメッセージをブロードキャスト方式又はマルチキャスト方式で送信する。
【００９８】
下記の表４は、ＭＡＣ制御メッセージの一例を表すものである。
【００９９】
【表４】
0005893751.tif 000006
下記の表５は、ＡＡＩ−ＭＧＭＣメッセージフォーマットの一例を表すものである。
【０１００】
【表５】
0005893751.tif 000007
基地局は、複数の端末（Ｍ２Ｍ機器）に関する情報を送信するために、ＭＧＩＤを含むＡＡＩ−ＭＧＭＣメッセージを使用する。ＡＡＩ−ＭＧＭＣメッセージがブロードキャスト方式で送信される場合、ＡＡＩ−ＭＧＭＣメッセージを持ち運ぶ物理層（ＰＨＹ）バーストはＢＡ  Ａ−ＭＡＰ  ＩＥに基づいて送信される。
【０１０１】
仮に、ＡＡＩ−ＭＧＭＣメッセージが一つのＭ２Ｍ機器グループに関する制御情報を持ち運び、マルチキャストＳＡ（Ｓｅｃｕｒｉｔｙ  Ａｓｓｏｃｉａｔｉｏｎ）が当該Ｍ２Ｍ機器グループに設定された場合、ＡＡＩ−ＭＧＭＣメッセージは当該マルチキャストＳＡを用いて暗号化される。一つのＭ２Ｍ機器グループに関するＡＡＩ−ＭＧＭＣメッセージを持ち運ぶ媒体接続制御プロトコルデータユニット（ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）を含むＰＨＹバーストは、Ｍ２Ｍグループ割当Ａ−ＭＡＰ  ＩＥによって指示され、暗号化されたり暗号化されていないＡＡＩ−ＭＧＭＣメッセージを持ち運ぶＭＡＣ  ＰＤＵのＦＩＤは０又は１にそれぞれ設定される。端末は、ＡＡＩ−ＭＧＭＣメッセージに対する応答としてＡＡＩ−ＭＳＧ−ＡＣＫメッセージを基地局に送信する。
【０１０２】
（３）マルチキャスト送信終了指示（ＡＡＩ−ＭＴＥ−ＩＮＤ）メッセージ
以下では、本発明の実施例で利用できるマルチキャスト送信終了指示（ＡＡＩ−ＭＴＥ−ＩＮＤ：Ｍｕｌｔｉｃａｓｔ  Ｔｒａｎｓｍｉｓｓｉｏｎ  Ｅｎｄ  Ｉｎｄｉｃａｔｉｏｎ）メッセージについて説明する。
【０１０３】
基地局は、遊休モード状態の端末にマルチキャストメッセージを送信する中、端末（Ｍ２Ｍ機器）に送信するマルチキャストメッセージがない場合には、ＭＧＩＤを用いてＡＡＩ−ＭＴＥ−ＩＮＤメッセージをブロードキャスト方式又はマルチキャスト方式で端末に送信する。遊休モード状態の端末がＡＡＩ−ＭＴＥ−ＩＮＤメッセージを受信すると、該端末はページング不可区間に再び進入する。
【０１０４】
下記の表６は、本発明の実施例で用いられるＡＡＩ−ＭＴＥ−ＩＮＤメッセージフォーマットの一例を表すものである。
【０１０５】
【表６】
0005893751.tif 000008
表６を参照すると、ＡＡＩ−ＭＴＥ−ＩＮＤメッセージは、該当のマルチキャストトラフィックを指示するＭＧＩＤフィールド、及び当該ＭＧＩＤの属したＭ２Ｍグループゾーン識別子に相応するＭ２Ｍグループゾーンインデックスを含む。ＡＡＩ−ＭＴＥ−ＩＮＤメッセージがブロードキャスト方式で送信される場合、ＡＡＩ−ＭＴＥ−ＩＮＤメッセージを持ち運ぶ物理層（ＰＨＹ）バーストは、ＢＡ  Ａ−ＭＡＰ  ＩＥに基づいて送信される。
【０１０６】
仮に、ＡＡＩ−ＭＴＥ−ＩＮＤメッセージが一つのＭ２Ｍ機器グループに関する制御情報を持ち運び、マルチキャストＳＡ（Ｓｅｃｕｒｉｔｙ  Ａｓｓｏｃｉａｔｉｏｎ）が当該Ｍ２Ｍ機器グループに設定された場合、ＡＡＩ−ＭＴＥ−ＩＮＤメッセージは当該マルチキャストＳＡを用いて暗号化される。一つのＭ２Ｍ機器グループに関するＡＡＩ−ＭＴＥ−ＩＮＤメッセージを持ち運ぶ媒体接続制御プロトコルデータユニット（ＭＡＣ  ＰＤＵ）は、Ｍ２Ｍグループ割当Ａ−ＭＡＰ  ＩＥによって指示され、暗号化されたり暗号化されていないＡＡＩ−ＭＴＥ−ＩＮＤメッセージを持ち運ぶＭＡＣ  ＰＤＵのＦＩＤは、０又は１にそれぞれ設定される。遊休モード状態にある端末がＡＡＩ−ＭＴＥ−ＩＮＤメッセージを受信すると、当該端末はページング不可区間に進入することができる。
【０１０７】
５．Ｍ２Ｍ放送ＭＡＣ制御メッセージ送信方法
以下では、１〜４節で説明した記述的特徴が反映される本発明の実施例について詳しく説明する。
【０１０８】
Ｍ２Ｍマルチキャストサービスにおいてマルチキャストトラフィックの終了を知らせるために送信するメッセージであるＡＡＩ−ＭＴＥ−ＩＮＤメッセージが定義され、同一のグループに属した端末に同時にＭ２ＭＣＩＤをアップデートするためにＡＡＩ−ＭＧＭＣメッセージが定義される。これらのメッセージは基地局でブロードキャスト方式又はマルチキャスト方式によって送信され、これを伝達する既存のＢＡ  Ａ−ＭＡＰ  ＩＥのＣＲＣは、マスキングプレフィックスが「０」に設定され、タイプ指示子が「０ｂ００１」に設定され、マスキングコードが「０」に設定された１６ビットＣＲＣマスクによってマスクされる。この時、ＢＡ  Ａ−ＭＡＰ  ＩＥの機能インデックスは「０ｂ００」に設定されていた。すなわち、既存に送信されるメッセージは、Ｍ２Ｍ機器及び一般端末の区別はなく、マルチキャスト又はブロードキャストの区別しか存在していなかった。
【０１０９】
このようにＡＡＩ−ＭＴＥ−ＩＮＤメッセージやＡＡＩ−ＭＧＭＣメッセージがブロードキャスト方式で送信されると、Ｍ２Ｍ端末だけでなく、既存の一般端末（ＡＭＳとＭＳ／ＳＳ）もＭ２Ｍのための放送メッセージをデコードすることになるが、これは、既存端末の不必要なブロードキャストバーストデコードのオーバーヘッドを増加させることがある。
【０１１０】
したがって、以下に説明する本発明の実施例では、Ｍ２Ｍシステム導入による既存の一般端末への影響を最小化するために、基地局からＭ２Ｍ特定放送ＭＡＣ制御メッセージ（例えば、ＡＡＩ−ＭＴＥ−ＩＮＤ又はＡＡＩ−ＭＧＭＣ）をＭ２Ｍ端末のみが受信できる方法を提供する。
【０１１１】
本発明の実施例では、Ｍ２Ｍ機器のための特定ＩＤを割り当てたり、Ｍ２Ｍ機器のみのためのブロードキャストマスキングコードを使用する。例えば、特定マスキングコードをＭ２Ｍ端末にブロードキャスト送信のために割り当てる。
【０１１２】
下記の表７は、表２のマスキングプレフィックス（Ｍａｓｋｉｎｇ  Ｐｒｅｆｉｘ）が０ｂ０であり、タイプ指示子（Ｔｙｐｅ  ｉｎｄｉｃａｔｏｒ）が０ｂ０１０であるとき、ブロードキャスト送信のためのマスキングコードの一例を表すものである。
【０１１３】
【表７】
0005893751.tif 000009
表７を参照すると、マスキングコードの十進値４０９４は、Ｍ２Ｍブロードキャスト割当のために送信されるＢＡ  Ａ−ＭＡＰ  ＩＥであることを表すためにＢＡ  Ａ−ＭＡＰ  ＩＥにマスクされる。また、マスキングコードの十進値４０９５は、一般マルチキャスト割当のために送信されるＢＡ  Ａ−ＭＡＰ  ＩＥであることを表すためにＢＡ  Ａ−ＭＡＰ  ＩＥにマスクされる。すなわち、４０９４はＭ２Ｍブロードキャスト割当識別子を表し、４０９５はマルチキャスト割当識別子を表す。
【０１１４】
すなわち、Ｍ２Ｍ端末は、マスキングプレフィックスが０ｂ０、タイプ指示子が０ｂ０１０、マスキングコードが４０９４に設定された、１６ビットＣＲＣがマスクされたＢＡ  Ａ−ＭＡＰ  ＩＥのみをデコードすることによって、当該ＢＡ  Ａ−ＭＡＰ  ＩＥがＭ２Ｍブロードキャストのためのものであることがわかり、一般端末は当該ＩＥのＣＲＣをデマスクし、当該メッセージがＭ２Ｍ端末のためのものであれば、それ以上デコーディングを行わない。
【０１１５】
下記の表８は、表２のマスキングプレフィックス（Ｍａｓｋｉｎｇ  Ｐｒｅｆｉｘ）が０ｂ０であり、タイプ指示子（Ｔｙｐｅ  ｉｎｄｉｃａｔｏｒ）が０ｂ００１であるとき、Ｍ２Ｍ放送のためのマスキングコードの一例を表すものである。
【０１１６】
【表８】
0005893751.tif 000010
表８を参照すると、１２ビットのマスキングコードのうち、十進値０〜１２８は既に他の目的のために設定された値である。例えば、０は、放送割当やレンジング割当のためにＢＡ  Ａ−ＭＡＰ  ＩＥにマスクされ、１は、ＢＡ  ＡＣＫ  Ａ−ＭＡＰ  ＩＥにマスクされ、２−１２８はグループ識別子として、ＧＲＡ  Ａ−ＭＡＰ  ＩＥにマスクされる。したがって、本発明の実施例では、予約されたマスキングコード１２９〜４０９５のうち、最後の十進値４０９５をＭ２Ｍ放送割当のためのＢＡ  Ａ−ＭＡＰ  ＩＥにマスクすることができる。
【０１１７】
すなわち、Ｍ２Ｍ端末は、マスキングプレフィックスが０ｂ０、タイプ指示子が０ｂ００１、マスキングコードが４０９５に設定された、１６ビットＣＲＣがマスクされたＢＡ  Ａ−ＭＡＰ  ＩＥのみをデコードすることによって、当該ＢＡ  Ａ−ＭＡＰ  ＩＥがＭ２Ｍブロードキャストのためのものであることがわかり、一般端末は当該ＩＥのＣＲＣをデマスクし、当該メッセージがＭ２Ｍ端末のためのものであれば、それ以上デコーディングを行わなくてすむ。
【０１１８】
表７及び表８のように特定マスキングコードがＭ２Ｍ放送の目的で用いられる場合に、Ｍ２Ｍ放送メッセージ（例えば、ＡＡＩ−ＭＴＥ−ＩＮＤメッセージ又はＡＡＩ−ＭＧＭＣメッセージ）を送信するためのＢＡ  Ａ−ＭＡＰ  ＩＥの機能インデックスフィールドは既存の値をそのまま使用することができる。
【０１１９】
例えば、タイプ指示子は０ｂ０１０に設定され、マスキングコードが４０９４に設定されたマスクをＢＡ  Ａ−ＭＡＰ  ＩＥのＣＲＣにマスクする場合に、基地局は、表１の機能インデックスフィールドを０ｂ００に設定し、機能インデックス０ｂ００に該当するリソース割当情報をＢＡ  Ａ−ＭＡＰ  ＩＥに含めて放送することができる。
【０１２０】
又は、表７及び表８のように特定マスキングコードがＭ２Ｍ放送の目的で用いられる場合に、Ｍ２Ｍ放送メッセージ（例えば、ＡＡＩ−ＭＴＥ−ＩＮＤメッセージ又はＡＡＩ−ＭＧＭＣメッセージ）を送信するためのＢＡ  Ａ−ＭＡＰ  ＩＥの機能インデックスフィールドを新しい値に定義して使用することもできる。
【０１２１】
下記の表９は、本発明の実施例において新しく定義されるＢＡ  Ａ−ＭＡＰ  ＩＥのフォーマットの一つを表すものである。
【０１２２】
【表９−１】
0005893751.tif 000011
【０１２３】
【表９−２】
0005893751.tif 000012
表９を参照すると、ＢＡ  Ａ−ＭＡＰ  ＩＥに含まれる２ビットの機能インデックス（Ｆｕｎｃｔｉｏｎ  Ｉｎｄｅｘ）フィールドが新しく定義されたことが確認できる。例えば、既存の機能インデックスフィールドにおける予約された値０ｂ１１を新しく定義することができる。すなわち、機能インデックスフィールドの０ｂ１１は、ＢＡ  Ａ−ＭＡＰ  ＩＥがＭ２Ｍ機器に対する放送割当情報を持ち運ぶこと、又はＭ２Ｍ機器に対するレンジングチャネル割当情報を持ち運ぶことを表すことができる。
【０１２４】
したがって、ＢＡ  Ａ−ＭＡＰ  ＩＥの機能インデックスフィールドが０ｂ１１と割り当てられる場合には、ＢＡ  Ａ−ＭＡＰ  ＩＥは１ビットの副機能インデックス（Ｓｕｂｆｕｎｃｔｉｏｎ  ｉｎｄｅｘ）フィールドをさらに含むことができる。副機能インデックスフィールド値が０ｂ０の場合は、ＢＡ  Ａ−ＭＡＰ  ＩＥにＭ２Ｍ機器に対するレンジングチャネル割当情報が含まれることを表し、０ｂ１の場合は、Ｍ２Ｍ機器に対する放送割当情報が含まれることを表すことができる。
【０１２５】
すなわち、表９を参照すると、ＢＡ  Ａ−ＭＡＰ  ＩＥは副機能インデックスフィールドが０ｂ０に設定された場合にチャネル割当情報をさらに含むことができる。チャネル割当情報は、レンジング機会回数（Ｎｕｍｂｅｒ  ｏｆ  Ｒａｎｇｉｎｇ  Ｏｐｐｅｒｔｕｎｉｔｉｅｓ）フィールド、サブフレームインデックスフィールド、レンジングチャネルの機会インデックスを表すレンジング機会インデックス（Ｒａｎｇｉｎｇ  Ｏｐｐｏｒｔｕｎｉｔｙ  Ｉｎｄｅｘ）フィールド、当該レンジングが専用レンジングであるか又は一般レンジングであるかを表す専用レンジング指示子（Ｄｅｄｉｃａｔｅｄ  Ｒａｎｇｉｎｇ  Ｉｎｄｉｃａｔｏｒ）フィールドを含むことができる。
【０１２６】
仮に、副機能インデックスフィールドが０ｂ１に設定されると、ＢＡ  Ａ−ＭＡＰ  ＩＥはＭ２Ｍ機器に対する放送割当情報を含むことができる。放送割当情報は、ＭＡＣ制御メッセージのサイズを表すバーストサイズ（Ｂｕｒｓｔ  Ｓｉｚｅ）フィールド、ＭＡＣ制御メッセージが送信されるリソース領域の割当位置及びサイズを表すリソースインデックス（Ｒｅｓｏｕｒｃｅ  Ｉｎｄｅｘ）フィールド、割り当てられたリソース領域によって占有されるＡＡＩサブフレームの個数を表すロングＴＴＩ指示子（Ｌｏｎｇ  ＴＴＩ  Ｉｎｄｉｃａｔｏｒ）フィールド、及び時間ドメイン反復の有無を表す送信フォーマット（Ｔｒａｎｓｍｉｓｓｉｏｎ  Ｆｏｒｍａｔ）フィールドを含むことができる。このとき、送信フォーマットフィールドが０ｂ１に設定されると、放送割当情報は、反復して送信される回数を表す反復（Ｒｅｐｅｔｉｔｉｏｎ）フィールドをさらに含むことができる。
【０１２７】
図３は、本発明の実施例として、Ｍ２Ｍ機器に対するブロードキャストＭＡＣ制御メッセージを送信する方法の一例を示す図である。
【０１２８】
図３で、Ｍ２Ｍ機器は現在、遊休モード状態にある。遊休モード動作については、第１節の遊休モードに関する説明及び図２を参照すればよい（Ｓ３１０）。
【０１２９】
基地局は、遊休モードにあるＭ２Ｍ機器に対するブロードキャストＭＡＣ制御メッセージを送信するための放送割当情報を含むＢＡ  Ａ−ＭＡＰ  ＩＥを、ページング聴取区間に放送形式でＭ２Ｍ機器に送信することができる。このとき、ＢＡ  Ａ−ＭＡＰ  ＩＥの機能インデックスは０ｂ１１に設定され、副機能インデックスは０ｂ１に設定される（Ｓ３２０）。
【０１３０】
Ｓ３２０段階で、ＢＡ  Ａ−ＭＡＰ  ＩＥは、  表９で説明したフォーマットを有することができ、表２乃至表８で説明したマスキングコードを含む１６ビットＣＲＣでマスクされてよい。例えば、１６ビットＣＲＣのマスキングプレフィックスは０ｂ０に、タイプ指示子は０ｂ０１０に、マスキングコードの十進値は４０９４に設定されてもよく、又は、１６ビットＣＲＣのマスキングプレフィックスは０ｂ０に、タイプ指示子を０ｂ００１に、マスキングコードの十進値を４０９５に設定されてもよい。
【０１３１】
ページング聴取区間でＳ３２０段階のＢＡ  Ａ−ＭＡＰ  ＩＥを受信したＭ２Ｍ端末はＣＲＣをデマスクし、当該ＩＥがＭ２Ｍ端末に対するものであることが確認できる。したがって、Ｍ２Ｍ端末はＢＡ  Ａ−ＭＡＰ  ＩＥをデコードし、ＢＡ  Ａ−ＭＡＰ  ＩＥに含まれた放送割当情報が指示する割当領域を通じてＭＡＣ制御メッセージであるＡＡＩ−ＭＴＥ−ＩＮＤメッセージを受信することができる（Ｓ３３０，Ｓ３４０）。
【０１３２】
Ｓ３４０段階で送信されるＡＡＩ−ＭＴＥ−ＩＮＤメッセージは、マルチキャストデータ送信が終了する旨を表すＭＡＣ制御メッセージである。したがって、ＡＡＩ−ＭＴＥ−ＩＮＤメッセージを受信したＭ２Ｍ機器はページング不可区間に進入し、電力消耗を防止することができる。
【０１３３】
仮に、Ｍ２Ｍ端末ではなく一般端末がＳ３２０段階のＢＡ  Ａ−ＭＡＰ  ＩＥを受信した場合、一般端末はＣＲＣをデマスクし、当該ＩＥが一般端末に対するものであるか否かを確認することができる。このとき、ＣＲＣがＭ２Ｍ機器に対するものであれば、一般端末はＢＡ  Ａ−ＭＡＰ  ＩＥをそれ以上デコードせず、ＡＡＩ−ＭＴＥ−ＩＮＤメッセージを受信しない。
【０１３４】
図４は、本発明の実施例として、Ｍ２Ｍ機器に対するブロードキャストＭＡＣ制御メッセージを送信する方法の他の例を示す図である。
【０１３５】
図４でＭ２Ｍ機器は現在、一般モード状態にある。すなわち、Ｍ２Ｍ機器は遊休モード動作を行わず、基地局に接続状態（Ｃｏｎｎｅｃｔｅｄ  Ｓｔａｔｅ）にある（Ｓ４１０）。
【０１３６】
基地局は、接続状態にあるＭ２Ｍ機器に対するブロードキャストＭＡＣ制御メッセージを送信するための放送割当情報を含むＢＡ  Ａ−ＭＡＰ  ＩＥをＭ２Ｍ機器に送信することができる。このとき、ＢＡ  Ａ−ＭＡＰ  ＩＥの機能インデックスは０ｂ１１に設定され、副機能インデックスは０ｂ１に設定される（Ｓ４２０）。
【０１３７】
Ｓ４２０段階で、ＢＡ  Ａ−ＭＡＰ  ＩＥは、  表９で説明したフォーマットを有することができ、表２、表３、表７及び表８で説明したマスキングコードを含む１６ビットＣＲＣでマスクされてよい。例えば、１６ビットＣＲＣのマスキングプレフィックスは０ｂ０に、タイプ指示子は０ｂ０１０に、マスキングコードの十進値は４０９４に設定されてもよく、又は、１６ビットＣＲＣのマスキングプレフィックスは０ｂ０に、タイプ指示子は０ｂ００１に、マスキングコードの十進値は４０９５に設定されてもよい。
【０１３８】
接続状態でＳ４２０段階のＢＡ  Ａ−ＭＡＰ  ＩＥを受信したＭ２Ｍ端末は、ＣＲＣをデマスクし、当該ＩＥがＭ２Ｍ端末に対するものであることを確認することができる。したがって、Ｍ２Ｍ端末は、ＢＡ  Ａ−ＭＡＰ  ＩＥをデコードし、ＢＡ  Ａ−ＭＡＰ  ＩＥに含まれた放送割当情報が指示する割当領域を通じてＭＡＣ制御メッセージであるＡＡＩ−ＭＧＭＣメッセージを受信することができる（Ｓ４３０，Ｓ４４０）。
【０１３９】
仮に、一般端末がＳ４２０段階のＢＡ  Ａ−ＭＡＰ  ＩＥを受信した場合は、ＣＲＣをデマスクし、当該ＩＥが一般端末に対するものであるか否かを確認することができる。このとき、ＣＲＣがＭ２Ｍ機器に対するものであれば、一般端末はＢＡ  Ａ−ＭＡＰ  ＩＥをそれ以上デコードせず、ＡＡＩ−ＭＧＭＣメッセージを受信しない。
【０１４０】
本発明は、本発明の精神及び必須特徴から逸脱しない範囲で他の特定の形態に具体化することができる。したがって、上記の詳細な説明はいずれの面においても制限的に解釈してはならず、例示的なものとして考慮しなければならない。本発明の範囲は、添付する請求項の合理的解釈によって決定しなければならず、よって、本発明の等価的範囲内における変更はいずれも本発明の範囲に含まれる。また、特許請求の範囲で明示的な引用関係にない請求項を結合して実施例を構成することもでき、出願後の補正によって新しい請求項として含めることもできる。
【産業上の利用可能性】
【０１４１】
本発明の実施例は、様々な無線接続システムに適用することができる。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これらの様々な無線接続システムの他、これら様々な無線接続システムを応用した如何なる技術分野にも適用することができる。
【図１】
0005893751.tif 000013
【図２】
0005893751.tif 000014
【図３】
0005893751.tif 000015
【図４】
0005893751.tif 000016